(57)【要約】【課題】使用期間中、ゲル状物による一定の薬効が得られる容器を提供することを目的とする。【解決手段】内部にゲル状物２５の収納室２４が設けられるとともに、側面の少なくとも一箇所に収納室２４内外を貫通する開口部２０が設けられる容器１において、収納室２４の少なくとも底面側に突起物９を設ける。収納室２４内にゲル状物２５を充填すると、ゲル状物２５の中心部に容器１側の突起物９が埋設され、ゲル状物２５は、突起物９に保持された状態で体積を徐々に減少させて固化することになる。従って、使用終期において、ゲル状物２５が容器１の隅部にずれてしまうようなことはなく、全使用期間において、ゲル状物２５による一定の薬効が得られることになる。【選択図】        図２
2004196354.tif 000002
【特許請求の範囲】
【請求項１】
内部にゲル状物の収納室が設けられるとともに、側面の少なくとも一箇所に前記収納室内外を貫通する開口部が設けられる容器において、前記収納室の少なくとも底面側に上方に突出する突起物を一体に設け、該突起物を前記収納室内に充填されるゲル状物内に埋没させたことを特徴とする容器。
【請求項２】
前記収納室の上面側にも前記突起物を設けたことを特徴とする請求項１に記載の容器。
【請求項３】
前記下面側の突起物と前記上面側の突起物とは、所定の間隔をおいて形成されていることを特徴とする請求項２に記載の容器。
【請求項４】
前記開口部は、前記容器の全長及び全幅に渡って所定の間隔ごとに複数箇所に設けられていることを特徴とする請求項１から３の何れかに記載の容器。
【請求項５】
前記突起物は、板状又は柱状であることを特徴とする請求項１から４の何れかに記載の容器。
【請求項６】
請求項１から５の何れかに記載の容器を使用し、前記収納室内に充填されたゲル状物の状態を前記開口部を介して経時的に表示させるように構成したことを特徴とするインジケーター。
【発明の詳細な説明】
【０００１】
【発明の属する技術分野】
本発明は、容器及びインジケーターに関し、特に、内部にゲル状物が充填される容器及びそのゲル状物の状態を経時的に表示させるインジケーターに関するものである。
【０００２】
【従来の技術】
従来、内部にゲル状物の収納室が設けられるとともに、表面側に収納室内外を貫通する開口部が設けられ、この開口部を介して収納室内外間で空気を流通させることにより、居間、寝室、トイレ等の室内空間や車の車内空間、洋服ダンス、押入、下駄箱、冷蔵庫等の収納空間（以下「空間」という。）の内部の脱臭、防虫等を行うように構成した容器が知られている。また、側面に開口部を設け、該開口部を介して揮散させることにより、効率良く空間に薬効を付与できるように構成した容器が提案されている（例えば、特許文献１参照。）。
【０００３】
【特許文献１】
特開平２−８２９８０号公報
【０００４】
【発明が解決しようとする課題】
ところで、上記のような構成の容器にあっては、収納室内に充填されているゲル状物は、脱臭、防虫等が進行することにより体積を徐々に減少させて固化する特性を有しているため、使用の初期においては特に問題はないが、終期においてはゲル状物が収納室内の隅等にずれてしまう。そのため、開口部を介してゲル状物に十分に空気を流通させることができなくなり、ゲル状物の薬効が未だ残っている状態で使用ができなくなってしまうという問題点を有していた。また、使用者は、開口部を介して内部のゲル状物の残存状態を正確に確認しにくくなり、ゲル状物の薬効が残っているにも関わらず廃棄してしまったり、ゲル状物の薬効が消失した状態で使用を続けてしまうといった問題も生じていた。
【０００５】
本発明は、上記のような従来のもののもつ問題を解決したものであって、使用の終期においても、ゲル状物の薬効が十分に得られるとともに、ゲル状物の残存状態を経時的に正確に把握することができて、ゲル状物の薬効が残っているのに廃棄してしまったり、ゲル状物の薬効が消失したままで使用を続けるようなことがない、容器及びインジケーターを提供することを目的とするものである。
【０００６】
【課題を解決するための手段】
上記のような課題を解決するために、本発明の請求項１に係る容器は、内部にゲル状物の収納室が設けられるとともに、側面の少なくとも一箇所に前記収納室内外を貫通する開口部が設けられる容器において、前記収納室の少なくとも底面側に上方に突出する突起物を一体に設け、該突起物を前記収納室内に充填されるゲル状物内に埋没させた手段を採用している。
また、本発明の請求項２に係る容器は、請求項１に記載の容器において、前記収納室の上面側にも前記突起物を設けた手段を採用している。
さらに、本発明の請求項３に係る容器は、請求項２に記載の容器において、前記下面側の突起物と前記上面側の突起物とは、所定の間隔をおいて形成されている手段を採用している。
さらに、本発明の請求項４に係る容器は、請求項１から３の何れかに記載の容器において、前記開口部は、前記容器の全長及び全幅に渡って所定の間隔ごとに複数箇所に設けられている手段を採用している。
さらに、本発明の請求項５に係る容器は、請求項１から４の何れかに記載の容器において、前記突起物は、板状又は柱状である手段を採用している。
さらに、本発明の請求項６に係るインジケーターは、請求項１から５の何れかに記載の容器を使用し、前記収納室内に充填されたゲル状物の状態を前記開口部を介して経時的に表示させるように構成した手段を採用している。
【０００７】
【作用】
本発明は、上記のような手段を採用したことにより、収納室内にゲル状物を充填すると、そのゲル状物内に収納室の底面側の突起物又は底面側の突起物と上面側の突起物が埋没した状態で位置することになる。そして、この状態で開口部を介して収納室内外間を流通する空気がゲル状物に接触することにより脱臭、防虫等が行われ、ゲル状物は徐々に体積を減少させて固化することになる。この場合、ゲル状物内には突起物が埋設されているので、ゲル状物は突起物に保持された状態で体積を減少させて固化することになる。
【０００８】
【発明の実施の形態】
以下、図面に示す本発明の実施の形態について説明する。
図１〜図８には、本発明による容器の一実施の形態が示されていて、この容器１は、前面側が開口する角箱状の容器本体２と、容器本体２の前面側開口部を閉塞する後面側が開口する角箱状の蓋１４とを備えている。
【０００９】
容器本体２は、図３〜図５に示すように、上板３、下板４、後板５、及び２枚の側板６、７からなるものであって、開口周縁部には全周に渡って所定の深さの係合溝１３が設けられ、この係合溝１３内に後述する蓋１４の係合突起２１が係合されるようになっている。容器本体２の後板５と側板６、７との間の境界部は所定の曲率のアール面に形成され、このアール面により容器本体２内の空間１２の角部が所定の曲率のアール面に形成され、このアール面により容器本体２内に充填されるゲル状物を滑らかに体積減少させるようになっている。
【００１０】
容器本体２の内面側の下板４の中央部には、垂直方向上方に突出する突起物９が一体に設けられている。突起物９は、略Ｌ形板状をなすものであって、下板４から後板５の下端部にかけて一体に設けられている。下板４と後板５との境界部に位置する突起物９の根元の部分には、突起物９を両側から挟持するように支持部１１が一体に設けられている。
【００１１】
容器本体２の内面側の上板３の中央部には、垂直方向下方に突出する突起物８が一体に設けられている。突起物８は、下板４側の突起物９と同様に略Ｌ形板状をなすものであって、上板３から後板５の上端部にかけて一体に設けられている。上板３と後板５との境界部に位置する突起物８の根元の部分には、下板４側の突起物９と同様に、突起物８を両側から挟持するように支持部１０が一体に設けられている。そして、下板４側の突起物９の上端と、上板３側の突起物８の下端は互いに接触しておらず、所定の間隔をあけて離れて形成されている。
【００１２】
下板４の突起物９及び上板３の突起物８は、Ｌ形板状に限らず、三角板状、四角板状、円柱状、角柱状等としても良いし、その他の任意の形状としても良い。要は、後述するゲル状物の中心部に埋設可能な形状であれば良い。
【００１３】
蓋１４は、図６〜図８に示すように、上板１５、下板１６、前板１７、及び２枚の側板１８、１９からなる後面側が開口する角箱状をなすものであって、内面側に容器本体２の開口部の外面側を嵌合させることで、容器本体２の開口部に装着されるようになっている。
【００１４】
この場合、蓋１４の内面側の上板１５の中央部、下板１６の中央部、及び両側板１８、１９の両端部には、それぞれ内方に突出する係合突起２１が一体に設けられ、これらの係合突起２１は容器本体２の開口縁部の係合溝１３内に係合されるようになっている。
【００１５】
蓋１４の上板１５には、内外を貫通する四角形状の開口部２０が全長及び全幅に渡って、所定の間隔ごとに複数箇所に設けられるようになっている。開口部２０は、四角形状に限らず、三角形状、六角形状等としても良い。
【００１６】
蓋１４の上板１５の内面側の中央部及び下板１６の内面側の中央部には、それぞれ内方に突出する突起２２、２３が一体に設けられ、この突起２２、２３は蓋１４を容器本体２の開口部に装着した際に、容器本体２側の各突起物８、９の先端に当接するようになっている。
【００１７】
そして、上記のように構成した容器本体２の開口部に蓋１４を装着し、蓋１４側の係合突起２１を容器本体２側の係合溝１３内に係合させることで、この実施の形態による容器１が構成され、内部に略直方体状の空間である収納室２４が形成されることになる。
【００１８】
そして、上記のような構成の容器１の収納室２４内に、図１に示すように、例えば、液体の防虫剤、芳香剤、脱臭剤とゲル化剤を混合したものを充填して冷却固化させたゲル状物２５を形成し、この状態で容器１を収納空間に設置すると、収納空間内部の空気が開口部２０を介して収納室２４内外間を流通してゲル状物２５に接触し、収納空間が脱臭されおよび／または、防虫剤や芳香剤が揮散して収納空間に防虫効果や芳香が付与されることになる。
【００１９】
そして、脱臭、防虫、芳香等が進行すると、ゲル状物２５は、体積を徐々に減少させて固化していくことになるが、ゲル状物２５の上面中央部及び下面中央部には容器１側の突起物８、９がそれぞれ埋設された状態となっているので、ゲル状物２５は、使用の初期においては両突起物８、９に保持された状態で体積を減少させ、終期においては、図２に示すように、ゲルの収縮およびゲルの自重により上板３側の突起物８の保持が外れ、下側の突起物９のみに保持された状態で体積を減少させていくことになる。
【００２０】
従って、全使用期間において、ゲル状物２５は必ず容器１の中央部に突起物９に保持された状態で位置することになるので、使用の終期において、ゲル状物２５が容器１の隅部にずれてしまってゲル状物２５による薬効が得られなくなるようなことはなく、全使用期間において、ゲル状物２５による一定の薬効が得られることになる。
【００２１】
また、上記の容器１は、開口部２０を介して収納室２４内に充填したゲル状物２５の体積の変化を経時的に目視することにより、ゲル状物２５の状態を経時的に把握できるインジケーターとしても機能することになるので、ゲル状物２５の薬効が残っているにもかかわらず廃棄してしまったり、薬効が得られなくなった状態で使用を続けてしまうようなことはないものである。
【００２２】
なお、前記の説明においては、容器１の上板３と下板４の両方に突起物８、９を設けたが、ゲル状物２５の種類によっては、上板３の突起物８を省略して下板４のみに突起物９を設けても良いものである。また、前記の説明においては、容器１を略角箱状に形成したが、これに限定することなく、他の周知の形状としても良いものである。
【００２３】
【発明の効果】
本発明は、前記のように構成したことにより、収納室内に充填されるゲル状物は、突起物が埋設された状態で徐々に体積を減少させていくことになる。従って、例えば、突起物を容器の底面の中央部、又は底面及び上面の中央部に設けることにより、使用の終期においても、ゲル状物を容器の中央部に位置させることができるので、使用の周期においても初期と同様のゲル状物による薬効が得られることになり、全使用期間を通じてゲル状物による一定の薬効が得られることになる。
さらに、容器は、開口部を介して収納室内のゲル状物の状態を経時的に目視することにより、ゲル状物の状態を経時的に把握できるインジケーターとしても機能することになるので、ゲル状物の薬効が残っているにもかかわらず廃棄してしまったり、薬効が得られない状態で使用を続けるようなことはなくなるものである。
【図面の簡単な説明】
【図１】本発明による容器の一実施の形態を示した斜視図であって、使用の初期の状態を示した説明図である。
【図２】図１に示す容器の使用の終期の状態を示した説明図である。
【図３】図１に示す容器の容器本体の正面図である。
【図４】図３のＡ−Ａ線断面図である。
【図５】図３のＢ−Ｂ線断面図である。
【図６】図１に示す容器の蓋の正面図である。
【図７】図６のＣ−Ｃ線断面図である。
【図８】図６の裏面図である。
【符号の説明】
１……容器
２……容器本体
３……上板
４……下板
５……後板
６……側板
７……側板
８……突起物
９……突起物
１０……支持部
１１……支持部
１２……空間
１３……係合溝
１４……蓋
１５……上板
１６……下板
１７……前板
１８……側板
１９……側板
２０……開口部
２１……係合突起
２２……突起
２３……突起
２４……収納室
２５……ゲル状物
【図１】
2004196354.tif 000003
【図２】
2004196354.tif 000004
【図３】
2004196354.tif 000005
【図４】
2004196354.tif 000006
【図５】
2004196354.tif 000007
【図６】
2004196354.tif 000008
【図７】
2004196354.tif 000009
【図８】
2004196354.tif 000010